(57)【要約】  シリンジから薬液を引き出す輸液ポンプの真空停止を防止するシリンジ補助装置を提供する。フロントケース１０およびバックケース２０内に、プランジャー８０、輸液ポンプ９０が収納され、シリンジ保持室３２、４２が形成される。プランジャーは、コッカー１８０、クレードル１５０、およびベース部材１１０を備える。コッカーおよびクレードルは、ベース部材に対してスライド可能になるように形成される。コッカーおよびクレードルは、互いにスライド可能になるように形成される。コッカーおよびクレードルは、バネ１９０によって、互いに連結される。コッカーは、くさび状のロック部材２４に連結され、ベース部材に沿ったコッカーの移動を制御するロック部材３３０を備える。クレードルは、シリンジに圧縮力を与えるシリンジバレル圧縮部材４１０を備える。
2009513260.tif 000002
【特許請求の範囲】
【請求項１】
輸液ポンプの真空停止を防止するシリンジ補助システムであって、
前記輸液ポンプは、シリンジと患者とを接続し、薬液を運ぶチューブを備え、
前記シリンジは薬液入りのバレル部を備え、
前記バレル部にハンドル付きのシリンジプランジャーが取り付けられたシリンジ補助システムにおいて、
筐体と、
プランジャーと、
ハンドル整合用の溝と、を備え、
前記筐体は、前記輸液ポンプを収容し、
前記プランジャーは、前記筐体に収納され、前記シリンジおよび前記シリンジプランジャーに部分的に圧縮力を与えることで、前記輸液ポンプによる前記シリンジからの薬液の引き出しに起因する前記真空停止を防止し、
前記ハンドル整合用の溝は、前記筐体に形成され、前記シリンジの前記ハンドルを固定することを特徴とするシリンジ補助システム。
【請求項２】
前記プランジャーは、コッカー、クレードル、およびベース部材を有することを特徴とする請求項１に記載のシリンジ補助システム。
【請求項３】
前記ベース部材は、一対の対向した側面部、一対の対向した長手部、筺体取り付け部、および、内側表面部を有するとともに、
それぞれ前記長手部から内側へ部分的にのびる、一対の対向した整合部材を有することを特徴とする請求項２に記載のシリンジ補助システム。
【請求項４】
前記コッカーおよび前記クレードルは、それぞれ、前記クレードル整合用の溝および前記コッカー整合用の溝を備え、１つの集合体を形成し、
前記クレードル整合用の溝および前記コッカー整合用の溝は、前記コッカーおよび前記クレードルが互いにスライドすることを可能にすることを特徴とする請求項２に記載のシリンジ補助システム。
【請求項５】
前記コッカーは、当該コッカーに取り付けられるコッカーロック部材を有し、
前記コッカーロック部材が、前記筐体からのびるくさび状のロック部材に連結され、前記ベース部材に沿って前記コッカーが移動するのを選択的に制御することを特徴とする請求項２に記載のシリンジ補助システム。
【請求項６】
前記クレードルは、当該クレードルに取り付けられるシリンジバレル圧縮部材を有し、
前記シリンジバレル圧縮部材が、前記シリンジに圧縮力を与えること特徴とする請求項２に記載のシリンジ補助システム。
【請求項７】
前記コッカーおよび前記クレードルは、それぞれ、対向した一対のベース整合用の溝を有し、
前記ベース整合用の溝が、整合部材に連結されるとともに、前記コッカーと前記ベース部材、並びに、前記クレードルと前記ベース部材を、互いに連動してスライド可能にすることを特徴とする請求項２に記載のシリンジ補助システム。
【請求項８】
前記コッカーおよび前記クレードルには、前記コッカーおよび前記クレードル間を接続するバネによって圧縮力が及ぼされることを特徴とする請求項４に記載のシリンジ補助システム。
【請求項９】
前記コッカーは、前記バネを当該コッカーに固定するバネ保持部を有することを特徴とする請求項８に記載のシリンジ補助システム。
【請求項１０】
前記クレードルは、前記バネを当該クレードルに固定するバネ保持部を有することを特徴とする請求項８に記載のシリンジ補助システム。
【請求項１１】
前記バネは、前記シリンジから薬液を引き出す際に、前記シリンジ内に生じる真空停止を抑制するのに十分大きな圧縮力を有することを特徴とする請求項８に記載のシリンジ補助システム。
【請求項１２】
前記コッカーロック部材は、弾力性を有するコッカーロックタブを有し、
前記コッカーロックタブが、前記くさび状のロック部材に連結することを特徴とする請求項５に記載のシリンジ補助システム。
【請求項１３】
輸液ポンプに連結されるシリンジに圧縮力を与えるシリンジ補助プランジャーであって、
コッカーと、
クレードルと、
ベース部材と、を備え
前記コッカーが、細長いクレードル整合部と、当該クレードル整合部の下部に配置されるベース部材整合部と、当該クレードル整合部から外側にのびるコッカーロック部材とを備え、
前記クレードルが、細長いコッカー整合部と、当該コッカー整合部の下部に配置される細長いベース部材整合部と、前記クレードル整合部から外側にのびるシリンジバレル圧縮部材とを備え、
前記ベース部材が、一対の対向した側面部と、一対の対向した長手部と、前記側面部のそれぞれからのびる、一対のコッカーおよびクレードル整合部材とを備えることを特徴とするシリンジ補助プランジャー。
【請求項１４】
前記コッカーのベース部材整合部は、一対の対向したベース整合用の溝を有し、
前記ベース整合用の溝が、前記ベース部材における前記一対のコッカーおよびクレードル整合部材に対してスライド可能に形成されることを特徴とする請求項１３に記載のシリンジ補助プランジャー。
【請求項１５】
前記クレードルのベース部材整合部は、一対の対向した細長いベース整合用の溝を有し、
前記細長いベース整合用の溝が、前記ベース部材における前記一対のコッカーおよびクレードル整合部材に対してスライド可能に形成されることを特徴とする請求項１３に記載のシリンジ補助プランジャー。
【請求項１６】
前記クレードルのコッカー整合部は、一対の対向したコッカー整合用の溝を有し、
前記コッカーのクレードル整合部は、一対の対向したクレードル整合部材を有し、
前記一対の対向したクレードル整合部材が、前記一対の対向したコッカー整合用の溝に対してスライドすることを特徴とする請求項１３に記載のシリンジ補助プランジャー。
【請求項１７】
前記コッカーは、バネ固定具を有し、
前記バネ固定具が、前記コッカーに取り付けられる上端部と、テーパ状の円錐部を有する下端部とを有する細長い円筒部からなっていることを特徴とする請求項１３に記載のシリンジ補助プランジャー。
【請求項１８】
前記クレードルは、バネ固定具を有し、
前記バネ固定具が、前記クレードルに取り付けられる上端部と、テーパ状の円錐部を有する下端部とを有する細長い円筒部からなっていることを特徴とする請求項１３に記載のシリンジ補助プランジャー。
【請求項１９】
前記コッカーロック部材は、ロック部材支持部によって剛性を付与され、
前記ロック部材支持部が、前記コッカーロック部材の屈曲を抑制することを特徴とする請求項１３に記載のシリンジ補助プランジャー。
【請求項２０】
前記シリンジバレル圧縮部材は、全体的に面取りをした補強部材によって剛性を付与され、
前記面取りをした補強部材が、前記シリンジバレル圧縮部材の屈曲を抑制することを特徴とする請求項１３に記載のシリンジ補助プランジャー。
【請求項２１】
シリンジを用いた輸液ポンプの筐体であって、
フロントケースと、
ヒンジを介して前記フロントケースと連結されるバックケースと、
前記シリンジを圧縮的に保持するプランジャーと、
安全ロックと、を備え
前記フロントケースが、輸液ポンプ保持部、シリンジ保持室、および、安全ロック部を形成し、
前記バックケースが、輸液ポンプ保持部、シリンジ保持室、シリンジハンドル整合用の溝、くさび状のロック部材、および、安全ロックラッチ開口部を形成し、
前記プランジャーが、前記ロック部材に連結されて前記バックケース上の前記シリンジ保持室内に取り付けられ、
前記安全ロックが、前記安全ロック保持孔を通して、前記安全ロックラッチ開口部とともに前記フロントケースに取り付けられることを特徴とする筐体。
【請求項２２】
前記筐体をつり下げるためのループ状の引っ掛け部が、バックケースに取り付けられることを特徴とする請求項２１に記載の筐体。
【請求項２３】
支柱に取り付けるための支柱取り付け部材が、バックケースに取り付けられることを特徴とする請求項２１に記載の筐体。
【請求項２４】
ユーザに前記輸液ポンプのファンクションキーを入力させるためのアクセス開口部が、前記フロントケースに設けられることを特徴とする請求項２１に記載の筐体。
【請求項２５】
輸液ポンプアウトレットに対する複数のアクセス開口部が、前記バックケースに設けられることを特徴とする請求項２１に記載の筐体。
【発明の詳細な説明】
【技術分野】
【０００１】
本発明は、輸液ポンプシステムに関し、より詳細には、輸液実行中の真空停止を防止するための真空補助装置を有する輸液ポンプシステムに関する。
【背景技術】
【０００２】
制御手段を用いて一定期間、薬液を患者に投与する方法は、よく知られている。一般的に認識されているそのような方法の１つとして、点滴バッグの使用が挙げられる。点滴バッグには、ドリップやコントローラを備えた静脈チューブを通して、重力により患者に投与される薬液が入れられている。より具体的には、点滴筒の一端に、ガラス、プラスチックボトル、あるいはプラスチックバッグのような滅菌容器が接続されていて、他端にチューブが接続されている。点滴筒は一回に一滴ずつ薬液を滴下させる。チューブは静脈血管に刺通される中空針を有している。さらに、コネクターがチューブに取り付けられ、薬液がチューブ内を流れて中空針へと運ばれる。このような従来の装置における流量の調節機能は、かなり限定されたものである。しかしながら、高価で複雑な様々なタイプの、流量制御バルブおよび装置が開発されている。このような従来装置において、流量の変動が問題とならない場合には、上述の重力点滴システムが単純な用途に使用される。
【０００３】
より確実な流量の制御を行うために、蠕動の電気駆動ポンプが開発されている。従来の蠕動ポンプは、壁とローラまたは反復押圧体との間に配置された可撓性チューブ部分を有している。チューブを通じた液体のポンピングを容易にするために、反復押圧体などはチューブ部分を漸次押圧する。このような蠕動ポンプとして、ソーグ（Sorg）らによる米国特許２，８７７，７１４号に記載されたものがある。その改良発明として、モーバイド（Moubayed）らによる米国特許６，３７１，７３２号に記載されたカーブ型蠕動ポンプがある。これらを参考文献として本明細書に組み入れる。
【０００４】
多くの場合、上述の薬液入りの弾力性を有する点滴バッグは、蠕動ポンプで用いられる。また、他の好ましい例として、静注（IV push）と呼ばれる、薬液を含む注射が挙げられる。当業者によく知られているように、静注に対する蠕動ポンプの使用により、真空停止（vacuum stall）という特有の状態が引き起こされる。薬液がシリンジから引き出されると、シリンジの内側および外側の間の圧力差によって、真空状態が生じる。本質的には、シリンジ内において薬液の量が減っていくので、薬液が占めるスペースが一定の割合で減っていき、真空状態が生じる。シリンジから多くの薬液を引き出せば引き出すほど、薬液をさらに引き出すのにより大きな力が必要になり、最終的には、蠕動ポンプが、真空吸引力を超えることができない段階に達する。この段階に達すると、さらなる輸液ができなくなる。
【０００５】
したがって、患者に薬液を輸液するために、蠕動ポンプを用いて注射が行われている間、真空停止を防止するための、真空補助システムが必要になる。また、従来の注射において、圧縮力を与えることができる機械的なシリンジ補助装置が必要になる。蠕動ポンプ、シリンジ、および単体の真空補助装置、を備え、ポールに接続され、あるいは様々な構造につり下げることができる装置が必要となる。これらは、本発明において、必要不可欠なものであり、頻繁に登場するものである。以下に、詳細に説明する。
【発明の開示】
【課題を解決するための手段】
【０００６】
本発明の一実施形態によれば、輸液ポンプの真空停止を防止するシリンジ補助システムが提供される。輸液ポンプは、シリンジと患者とを接続し、薬液を運ぶチューブを備え、シリンジは、薬液入りのバレル部を備え、バレル部には、ハンドル付きのシリンジプランジャーが取り付けられる。
上記構成において、シリンジ補助システムは、輸液ポンプを収容する筐体と、筐体に収納され、シリンジおよびシリンジプランジャーに部分的に圧縮力を与えるプランジャーと、を備える。これにより、輸液ポンプによるシリンジからの薬液の引き出しに起因する真空停止が防止される。ハンドル整合用の溝が、筐体に形成され、シリンジのハンドルを固定する。
【０００７】
上記構成において、プランジャーは、コッカー、クレードル、およびベース部材を有する。ベース部材は、一対の対向した側面部、一対の対向した長手部、筺体取り付け部、および、内側表面部を有し、それぞれ長手部から内側へ部分的にのびる、一対の対向した整合部材を有する。コッカーおよびクレードルは、それぞれ、コッカーおよびクレードルが互いにスライドすることを可能にする、クレードル整合用の溝およびコッカー整合用の溝を備え、１つの集合体を形成する。コッカーは、コッカーロック部材を有し、コッカーロック部材が、筐体からのびるくさび状のロック部材に連結され、ベース部材に沿ったコッカーの移動を選択的に制御する。クレードルは、シリンジバレル圧縮部材を有し、シリンジバレル圧縮部材が、シリンジに圧縮力を与える。コッカーおよびクレードルは、それぞれ、対向した一対のベース整合用の溝を有し、ベース整合用の溝が、整合部材に連結される。これにより、コッカーとベース部材、並びに、クレードルとベース部材が、互いに連動してスライド可能になる。
【０００８】
上記構成において、コッカーおよびクレードルには、コッカーおよびクレードル間を接続するバネによって圧縮力が及ぼされる。コッカーは、バネを当該コッカーに固定するバネ保持部を有する。クレードルは、バネを当該クレードルに固定するバネ保持部を有する。バネは、シリンジから薬液を引き出す際に、シリンジ内に生じる真空停止を抑制するのに十分大きな圧縮力を有する。コッカーロック部材は、弾力性を有するコッカーロックタブを有し、コッカーロックタブが、くさび状のロック部材に連結する。
【０００９】
本発明の別の実施形態によれば、輸液ポンプに連結されるシリンジに圧縮力を与えるシリンジ補助プランジャーが提供される。シリンジ補助プランジャーは、コッカーと、クレードルと、ベース部材とを備える。コッカーは、細長いクレードル整合部と、当該クレードル整合部の下部に配置されるベース部材整合部と、当該クレードル整合部から外側にのびるコッカーロック部材とを備える。クレードルは、細長いコッカー整合部と、当該コッカー整合部の下部に配置される細長いベース部材整合部と、クレードル整合部から外側にのびるシリンジバレル圧縮部材とを備える。ベース部材は、一対の対向した側面部と、一対の対向した長手部と、側面部のそれぞれからのびる、一対のコッカーおよびクレードル整合部材とを備える。
【００１０】
上記構成において、コッカーのベース部材整合部は、一対の対向したベース整合用の溝を有し、ベース整合用の溝が、ベース部材における一対のコッカーおよびクレードル整合部材に対してスライド可能に形成される。クレードルのベース部材整合部は、一対の対向した細長いベース整合用の溝を有し、細長いベース整合用の溝が、ベース部材における一対のコッカーおよびクレードル整合部材に対してスライド可能に形成される。クレードルのコッカー整合部は、一対の対向したコッカー整合用の溝を有し、コッカーのクレードル整合部は、一対の対向したクレードル整合部材を有し、一対の対向したクレードル整合部材が、一対の対向したコッカー整合用の溝に対してスライドする。コッカーおよびクレードルを連結するために、コッカーおよびクレードルは、それぞれ、バネ固定具を有する。各バネ固定具は、それぞれ、コッカーおよびクレードルに取り付けられる上端部と、テーパ状の円錐部を有する下端部とを有する、細長い円筒部を備える。
【００１１】
コッカーロック部材の構造的な強度を高めるため、コッカーロック部材は、ロック部材支持部によって剛性を付与される。シリンジバレル圧縮部材の屈曲を抑制するため、シリンジバレル圧縮部材は、全体的に面取りをした補強部材によって剛性を付与される。
【００１２】
本発明のさらに別の実施形態によれば、シリンジを用いた輸液ポンプの筐体が提供される。シリンジを用いた輸液ポンプの筐体は、フロントケースと、ヒンジを介してフロントケースと連結されるバックケースと、プランジャーと、安全ロックと、を備える。フロントケースが、輸液ポンプ保持部、シリンジ保持室、および、安全ロック部を形成する。バックケースが、輸液ポンプ保持部、シリンジ保持室、シリンジハンドル整合用の溝、くさび状のロック部材、および、安全ロックラッチ開口部を形成する。プランジャーが、ロック部材に連結されてバックケース上のシリンジ保持室内に取り付けられる。安全ロックが、安全ロック保持孔を通して、安全ロックラッチ開口部とともにフロントケースに取り付けられる。
【００１３】
上記構成において、好ましくは、筐体は、他の構造物に、様々な方法で取り付けられるように構成される。その一例として、筐体をつり下げるためのループ状の引っ掛け部が、バックケースに取り付けられるのが好ましい。あるいは、支柱に取り付けるための支柱取り付け部材が、バックケースに取り付けられてもよい。
【００１４】
上記構成において、さらに好ましくは、筐体は、当該筐体にアクセス可能な、様々な種類の開口部を有する。その一例として、ユーザに輸液ポンプのファンクションキーを入力させるためのアクセス開口部が、フロントケースに設けられるのが好ましい。あるいは、輸液ポンプアウトレットに対する複数のアクセス開口部が、バックケースに設けられてもよい。
【発明を実施するための最良の形態】
【００１５】
添付図面を参照して、本発明の好ましい実施形態を、以下に詳細に説明する。図示した実施形態に関連して本発明の１構成例を説明するが、本発明の範囲および主旨から逸脱することなく、種々の変形例を創作することができる。「第１および第２」、「上部および下部」、のような関連語句は、単なる区別のためだけに使用され、構成要素間の実際の関連性を特に意味するものではない。
【００１６】
図１を参照して、本発明のシリンジ補助装置１は、フロントケース１０、バックケース２０、ポンプ９０、および、プランジャー８０から構成される。
ポンプ９０として、モーバイドらによる米国特許６，１６４，９２１号に記載されている蠕動ポンプが使用されることが好ましい。しかしながら、本発明においては、蠕動ポンプに限定されることなく、当業者によく知られている、薬液を調合することができるポンプが代用されてもよい。
ポンプ９０は、キーパッド９８、視覚的表示装置（visual display）９７、第１のユーティリティケーブル９２、および、第２のユーティリティケーブル９４を有する。第１のユーティリティケーブル９２は、ポンプ９０の側面からのびており、電源やグランド電位などの様々な入力を受ける。第２のユーティリティケーブル９４は、ポンプ９０の底面からのびている。
【００１７】
フロントケース１０は、フロントケースポンプ部１１、および、フロントケースシリンジ部１２から構成される。フロントケースポンプ部１１は、ポンプ９０を保持または支持している。フロントケースシリンジ部１２は、プランジャー８０およびシリンジ（図示せず）を部分的に囲むフロントシリンジ保持室３２から構成される。
また、フロントケース１０は、リードアウトアクセス開口部（readout access slot）１３と、キーパッドアクセス開口部（keypad access slot）１４とを有する。リードアウトアクセス開口部１３およびキーパッドアクセス開口部１４は、それぞれ、視覚的表示装置９７およびキーパッド９８を遮らないように構成される。
さらに、フロントケース１０は、安全ロック保持孔１７を有する。安全ロック保持孔１７は、フロントケースポンプ部１１上に設けられ、安全ロック１５が差込まれるように構成される。
安全ロック１５は、ラッチ部１８を有する。ラッチ部１８は、バックケース２０上に設けられた安全ロックラッチ開口部２５に対して、回転させてスライドできる構造になっている。安全ロック１５は、ポンプ９０に関連する構成部品、並びに、フロントケース１０およびバックケース２０によって構成される筐体内に配置されるシリンジ（図示せず）に対して、人間が許可無く触れることを防止するためのものである。安全ロック１５は、フロントケース１０およびバックケース２０の組み立てを行うために用いられ、シリンジ補助装置１中の構成部品に対して、筐体を集合的に形成するために用いられる。
【００１８】
バックケース２０は、ケースポンプ部２１、およびバックケースシリンジ部２２から構成される。ケースポンプ部２１は、ポンプ９０を保持および支持する。バックケースシリンジ部２２は、プランジャー８０およびシリンジ（図示せず）を部分的に囲むバックシリンジ保持室４２によって構成される。
また、バックケース２０は、チューブアウトレット開口部９５を有している。チューブアウトレット開口部９５には、シリンジ補助装置１の内部から患者にのびる薬液チューブに対応する開口が形成されている。
さらに、バックケース２０は、第１のユーティリティケーブルアクセス開口部９３、および、第２のユーティリティケーブルアクセス開口部９５を有している。第１のユーティリティケーブルアクセス開口部９３および第２のユーティリティケーブルアクセス開口部９５には、それぞれ、第１のユーティリティケーブル９２および第２のユーティリティケーブル９４に対して開口が形成されている。
【００１９】
プランジャー８０は、バックケース２０に取り付けられるとともに、バックシリンジ保持室４２およびフロントシリンジ保持室３２によって取り囲まれる。プランジャー８０は、輸液中に、シリンジ（図示しない）に対して機械的な補助を行う。詳細な内容は以下に説明する。プランジャー８０は、１つあるいはそれ以上のプランジャー取り付けネジ８１によって、バックケース２０に取り付けられる。
【００２０】
シリンジ補助装置１を固定する方法は、その構造に応じていろいろある。1つの方法として、ループ状の引っ掛け部３５を用いる方法が挙げられる。ループ状の引っ掛け部３５は、ループ状の引っ掛け部取り付け用のネジ３６を、ループ状の引っ掛け部固定孔３７に挿通させることにより、バックケース２０に取り付けられる。シリンジ補助装置１は、その重さに耐えうるものであればどのようなタイプのストラップでつり下げられてもよい。装置をつり下げるようにして利用される、従来の携帯型ＩＶ（intravenous）点滴システムを使用してもよい。
他の方法としては、支柱取り付け部材３０を用いる方法が挙げられる。支柱取り付け部材３０は、支柱取り付け部材取り付け用のネジ３４を、支柱取り付け部材３０上に設けられた保持孔３３に挿通させることにより、バックケース２０に取り付けられる。この方法により、シリンジ補助装置１を、ベッドの支柱または他の構造物のような、鉛直方向に長くのびた構造物に取り付けることができる。鉛直方向に長くのびた構造物の種々の長さに対応させるため、支柱取り付け調整ノブ３２の挿入の深さは様々である。支柱取り付け調整ノブ３２は、より薄い構造物に対して締め付けるように、より厚い構造物に対して緩めるように、使用される。
【００２１】
バックヒンジロッド保持部材７、フロントヒンジロッド保持部材６、および、ヒンジロッド５が一体となってヒンジが構成され、バックケース２０およびフロントケース１０が連結される。
さらに、バックヒンジロッド保持部材７は、フロントヒンジロッド保持部材６の間に形成されたそれぞれの空隙部６ｂと整合する。フロントヒンジロッド保持部材６は、各バックヒンジロッド保持部材７の間に形成されたそれぞれの空隙部７ｂと整合する。すべてのヒンジ保持部材６および７は、一般的に、シリンジの高さに沿ってのびているスロットを有する中空シリンダーである。
ヒンジロッド５は、ヒンジ保持部材６および７の隙間の中央部分に刺通され、スロットの代わりとして、フロントケース１０およびバックケース２０をバラバラにすることなく回転可能にしている。しかしながら、本発明においては、このようなヒンジ構造物に限定されず、技術的に公知の種々のヒンジ機構が使用されてもよい。
【００２２】
図２を参照して、プランジャー８０は、クレードル（cradle）１５０、および、クレードル（cradle）１５０の組立構造物から構成される。クレードル（cradle）１５０はコッカー（cocker）１８０に対してスライドできる。クレードル１５０の組立構造物はベース部材１１０に対してスライドできる。
本文で使用される用語「コッカー」は、本発明の特徴をなすものであり、クレードル１５０に、以下に説明するような他の構成要素と一体になって、一方向の力を与えるようにしている。
図３ａに示すように、コッカー１８０は、クレードル整合部３２０、コッカーロック部材３３０、および、ベース部材整合部３４０から構成される。クレードル整合部３２０およびコッカーロック部材３３０は、それぞれ水平方向および鉛直方向にのびている。ベース部材整合部３４０は、クレードル整合部３２０およびコッカーロック部材３３０の下部にのびるように配置される。
コッカーロック部材３３０は、ロック部材支持部３３２により支持されている。コッカーロック部材３３０は、一般的に、シリンジ保持室を取り囲む弓型の構造物に対応するように、弓型になっている。また、コッカーロック部材３３０は、曲がりやすいロック用のタブ３３４を有している。ロック用のタブ３３４の機能性については、以下に詳細に説明する。
【００２３】
図３ｃを参照して、ベース部材整合部３４０は、第1のコッカー側面部３８１、ベース整合用の溝３８０、および、クレードル整合用の溝３９０から構成される。
ベース整合用の溝３８０は、第1のコッカー底面部３８２、および、第２のコッカー側面部３８３によって構成される。
第1のコッカー底面部３８２は、外側端部３８２ａおよび内側端部３８２ｂを有する。外側端部３８２ａにおいて、第1のコッカー底面部３８２および第1のコッカー側面部３８１が互いに垂直になるように形成されている。
第２のコッカー側面部３８３は、内側端部３８２ｂにおいて第1のコッカー底面部３８２に対して垂直になっている。第２のコッカー側面部３８３は、第1のコッカー上面部３８４に対して垂直になっている。
したがって、第1のコッカー底面部３８２は、第２のコッカー側面部３８３の高さの距離だけ離れて、第1のコッカー上面部３８４に対向している。第３のコッカー側面部３８５は、第２のコッカー底面部３８６および第1のコッカー上面部３８４に対して所定の角度をなしている。ベース部材整合部３４０の内部は、内部コッカー側面部３８９により構成される。上述した表面は、コッカー１８０の対向側においても同じ形状を有している。従来例では、別の表面に対して垂直をなす関係において、様々な表面形状が形成されるが、本発明は、このような構成に限定されない。ベース整合用の溝３８０の形状、および連結を可能にする対応する部材、コッカーおよびベース間のスライド関係は、特に限定されない。
【００２４】
図５ｃおよび３ｃを参照して、ベース部材１１０は、ベース整合用の溝３８０と整合するコッカーおよびクレードル整合部材５８０を有する。コッカーおよびクレードル整合部材５８０は、ベース内部側面５８５からのびており、ベース上面部５８２、ベース側面部５８３、およびベース底面部５８４から構成される。図示したように、上述の表面部は、ベース部材１１０の対向側においても同じ形状を有している。したがって、第1のコッカー底面部３８２は、ベース上面部５８２に対して、スライド関係になっている。第２のコッカー側面部３８３は、ベース側面部５８３に対して、スライド関係になっている。第1のコッカー上面部３８４は、ベース底面部５８４に対して、スライド関係になっている。スライドさせるために、第1のコッカー底面部３８２の長さは、ベース上面部５８２の長さと実質的に等しい。第1のコッカー上面部３８４の長さは、ベース底面部５８４の長さと実質的に等しい。第２のコッカー側面部３８３の高さは、ベース側面部５８３の高さと実質的に等しい。
【００２５】
同様の方法で、図２に示されているように、クレードル１５０は、図４ｂのベース整合用の溝４８０を介して、ベース部材１１０と整合している。図４ｂを参照して、クレードル１５０は、コッカー整合部４２９およびベース整合部４２８を有する。
ベース整合部４２８は、上述したベース整合用の溝４８０、第1のクレードル側面部４８１、第1のクレードル底面部４８２、第2のクレードル側面４８３、第1のクレードル上面部４８４、第３のクレードル側面部４８５、および、第２のクレードル底面部４８６から構成される。
第1のクレードル底面部４８２は、第1のクレードル側面部４８１に対して垂直になっている。第2のクレードル側面４８３は、第1のクレードル底面部４８２に対して垂直になっている。第1のクレードル上面部４８４は、第2のクレードル側面部４８３に対して垂直になっている。第３のクレードル側面部４８５は、第1のクレードル上面部４８４に対して所定の角度をなしている。第２のクレードル底面部４８６は、第1のクレードル底面部４８２および第1のクレードル上面部４８４と平行にのびている。
クレードル１５０の内部は、クレードル内部側面部４８９およびクレードル内部底面部４９９から構成される。図３ｃ、図５ｃおよび図４ｂに示すように、ベース上面部５８２は、第1のクレードル底面部４８２に対してスライドする。ベース側面部５８３は、第2のクレードル側面部４８３に対してスライドする。ベース底面部５８４は、第1のクレードル上面部４８４に対してスライドする。ベース内部側面部５８５は、第３のクレードル側面部４８５に対してスライドする。すなわち、クレードル１５０は、ベース部材１１０に対して、連動してスライドする構成になっている。上述の表面は、クレードル１５０の対向側においても、同じ形状を有する。
【００２６】
図２、３ａ、３ｃおよび４ｂを参照して、クレードル１５０は、コッカー１８０に対して、連動してスライドするように形成されている。
上述したように、クレードル１５０はコッカー整合部４２９を有する。コッカー整合部４２９は、コッカー整合用の溝４９０を一般的に構成する。コッカー整合用の溝４９０は、第1のクレードル側面部４８１、第2のクレードル上面部４９８、第4のクレードル側面部４９３、第３のクレードル底面部４９６、第5のクレードル側面部４９１、および、第3のクレードル上面部４９２から構成される。第2のクレードル上面部４９８は、第1のクレードル側面部４８１に対して垂直になっている。
コッカー整合部４２９は、さらに、第6のクレードル側面部４４３、および、第４のクレードル上面部４９４から構成される。第6のクレードル側面部４４３、および、第４のクレードル上面部４９４は、コッカー整合部４２９の上端部に設けられる。
コッカー１８０は、第3のコッカー底面部３９８、第4のコッカー側面部３９３、第2のコッカー上面部３９６、および、第5のコッカー側面部３９１から構成される。
第3のコッカー底面部３９８は、第2のクレードル上面部４９８に対して、平行にのびており、スライドする。第4のコッカー側面部３９３は、第4のクレードル側面部４９３に対して、平行にのびており、スライドする。第2のコッカー上面部３９６は、第３のクレードル底面部４９６に対して、平行にのびており、スライドする。第5のコッカー側面部３９１は、第5のクレードル側面部４９１に対して、平行にのびており、スライドする。
第5のクレードル側面部４９１の高さは、第5のコッカー側面部３９１の高さと同じではない。第5のコッカー側面部３９１の高さは、コッカー１８０およびクレードル１５０が連動してスライドするのに障害とならない十分な高さとなっている。言い換えれば、第5のコッカー側面部３９１は、第４のクレードル上面部４９４と第4のコッカー底面部３９４とを離すように形成される。さらに、内部コッカー側面部３８９は、内部クレードル側面部４８９に対して平行になっている。
【００２７】
図３ｃおよび図４ｂに示さすように、コッカー１８０は、コッカーバネ固定具３５０を有している。また、クレードル１５０は、クレードルバネ固定具４５０を有している。
コッカーバネ固定具３５０は、シリンジシャフト部材３５２、および、円錐形状のテーパ部材３５４から構成されている。クレードルバネ固定具４５０は、シリンジシャフト部材４５２、および、円錐形状のテーパ部材４５４から構成されている。
さらに、シリンジシャフト部材３５２上には、バネのリング保持部３５７が構成されている。シリンジシャフト部材４５２上には、バネのリング保持部４５７が構成されている。以下に、これらの使用方法を説明する。
【００２８】
図２に示すように、コッカーおよびクレードルの構造物１３０は、クレードル１５０とコッカー１８０とが整合するように、組み合わされた構造物であり、近位端部１３３および遠位端部１３２とを有する。
近位端部１３３の上部には、シリンジバレル圧縮部材４１０が配置されている。遠位端部１３２の上部には、コッカーロック部材３３０が配置されている。
さらに、コッカーバネ保持部３５０は、近位端部１３３上に配置される。クレードルバネ保持部４５０は、遠位端部１３２上に配置される。バネ１９０によって、コッカーバネ保持部３５０およびクレードルバネ保持部４５０間が接続されることにより、近位端部１３３および遠位端部１３２間に圧縮力が生じる。
【００２９】
図６に示すように、バネ１９０は、公知のコイル式のバネであり、対向する端部において配置された、一対のバネリング１９２を有する。バネリング１９２の直径は、膨張状態において、シリンジシャフト部材３５２および４５２の直径よりも大きくなる。また、バネリング１９２の直径は、収縮状態において、シリンジシャフト部材３５２および４５２の直径よりも小さくなる。上記から判るように、バネリング１９２は、バネ１９０の形成材料である金属の特性に応じて、膨張および収縮する。
円錐状のテーパ部分３５４は、バネリング１９２の最初の挿入に対して、バネリング１９２が緩やかに膨張するように形成されている。バネリング１９２の膨張状態が続くのを防止するために、バネリング保持用の溝が、その溝の大きさがバネリング１９２の収縮状態の直径よりも小さくなるように形成されている。
このように、バネ１９０の水平方向の圧縮力が、その両端部のバネリング１９２に加わることにより、バネリング１９２があらゆる方向に膨張することが抑制される。さらに、この構成により、バネリング１９２が膨張状態で使用される場合においてバネリングが外れるという問題を防止できる。
【００３０】
図２、図３ａ、図４ａを参照して、組み合わさったコッカーおよびクレードルの構造物１３０の元の状態について、以下に説明する。クレードル近位端部４２０は、コッカー１８０上のベース部材整合部３４０の遠位端部に隣接している。また、クレードルおよびベース整合部４２８は、コッカー１８０によりほぼ全体的に覆われている。
クレードル１５０は、シリンジバレル圧縮部材４１０および面取りをした補強部材４１１を有する。外見からわかるように、シリンジバレル圧縮部材４１０は、他のものに対して大きな力を与える役割を果たしている。一方で、面取りをした補強部材４１１は、シリンジバレル圧縮部材４１０が曲がるのを最小限にするために、シリンジバレル圧縮部材４１０を補強し、それによって、バネ１９０の圧縮力の伝達効率を増加させ、シリンジバレル圧縮部材４１０等の破損を防止している。
これに関連して、コッカー１８０がベース整合部４２０を覆って、面取りをした補強部材４１１を収納できるようにするために、コッカー１８０上には、十分な大きさを有する長方形状の開口部３７０が設けられる。長方形状の開口部３７０は、クレードル１５０およびコッカー１８０のスライド動作に影響を与えないように、クレードル近位端部４２１からベース部材３４０の遠位端部３４１まで及ぶ十分な長さに対応するように、形成されている。
【００３１】
ベース部材１１０に対して、コッカー１８０およびクレードル１５０をスライドさせる方法は、上述した通りである。
一体となったコッカーおよびクレードルの構造物１３０は、ベース部材１１０に沿ってスライドする。コッカー１８０は、クレードル１５０のベース部材１１０（バネ１９０の圧縮力を前提として）に沿って、ベース部材１１０とは独立した状態でスライドする。さらに、クレードル１５０は、コッカー１８０のベース部材１１０（バネ１９０の圧縮力を前提として）に沿って、ベース部材１１０とは独立した状態でスライドする。
クレードル１５０単体、あるいは、一体となったクレードルおよびコッカーの構造物１３０が、何らかの原因によってばらばらになるのを防止するために、図４ｂに示すように、スライド防止部４３０が、クレードル１５０に設けられている。
スライド防止部４３０は、第２の底面部４８６から下方にのびている。図５ａおよび５ｂに示すように、スライド防止部４３０は、ベース防止部５３０に係合する。スライド防止部４３０およびベース防止部５３０の間の摩擦力を上回る十分大きな力によって、ベース部材１１０に対して、クレードル１５０およびコッカー１８０がスライドできるようになる。しかしながら、本ポンプの使用中において、このようなスライドは考えにくく、通常は起こらない。
【００３２】
図１に示すように、プランジャー８０（ベース部材１１０、コッカー１８０およびクレードル１５０の一体化された構造物）は、上述したように、プランジャー取り付けネジ８１によって、バックケース２０に固定される。図１、並びに図５ｂおよび５ｃに示すように、ベース部材１１０は、バックケースワッシャー整合用押し出し部材５１０を有する。バックケースワッシャー整合用押し出し部材５１０は、一般的に円筒形状であり、プランジャー取り付けネジ孔５１２を有している。さらに、バックケースワッシャー整合用押し出し部材５１０は、外側シリンダー部５１４および内側シリンダー部５１６により構成される。
バックケース押し出し部材８２は、内側シリンダー部５１６内に整合するように構成される。バックケース押し出し部材８２に、ナット８３、およびプランジャー取り付けネジ８１が取り付けられて、プランジャー８０がバックケース２０に固定される。
【００３３】
図７に示すように、プランジャー８０は、ロックされた状態で、バックケース２０に取り付けられている。バックケース２０は、バックケース２０から突出したくさび状のロック部材２４を有する。
図３ａに示すように、コッカーロック部材３３０は、コッカーロックタブ３３４を有する。コッカーロックタブ３３４は、くさび状のロック部材２４に連結される。
このようにして、コッカー１５０が部分的にロックされ、コッカー１５０のベース部材１１０沿ったスライド動作が抑制される。コッカー１５０を、ロック解除状態にして、ベース部材１１０上を自由にスライドさせる場合には、コッカーロックタブ３３４の弾性的特性より、コッカー１５０のロックを解除すればよい。このような弾性的特性を与えるために、くさび状のロック部材２４の対応した高さにおいて、細い溝がコッカーロック部材３３０に形成されている。
ロック状態は、いつまでも維持されるのが好ましい。これを実現するために、ロック部材支持部３３２が、コッカーロック部材３３０に構造的な剛性を与え、与られた圧縮力によって、くさび状のロック部材２４に対してコッカー１５０が曲ったり離れたりするのを防止している。当然のことであるが、ロック状態では、クレードル１５０のみが、ベース部材１１０上を動くことができる。さらに、ロック構造において、図６に示されたバネ１９０により与えられる圧縮力は、図７に示されたように、下方のシリンダーバレル圧縮部材４１０を介して、ほぼ全体的に与えられる。
【００３４】
図８に示すように、従来のシリンジ８００は、バレル部８０１を構成している。バレル部８０１は、遠位端部８０４および近位端部８０６を有する。
さらに、シリンジ８００は、シリンジプランジャー８１０、ハンドル８２０、および、注射針８３０を有している。ハンドル８２０は、シリンジプランジャー８１０の上部に取り付けられる。注射針８３０は、バレル部８０１の内部からチューブ取り付け部材８４０までのびている。
シリンジプランジャー８１０を押し下げることによって、バレル部８０１から薬液が引き出されて、バレル部８０１から注射針８３０を通して薬液が出ていく。
【００３５】
シリンジ８００は、ハンドル整合用の溝２６およびシリンジバレル圧縮部材４１０により、バックシリンジ保持室４２内に収納される。ハンドル整合用の溝２６は、ハンドル８２０と連動する。シリンジ８００の遠位端部８０４は、シリンジバレル圧縮部材４１０に隣接する。上記から判るように、バレル部８０１の内部は、公知の薬剤で満たされている。
図８および図１を参照して、ポンプ９０は、真空吸引力によって、シリンジ８００内に含まれた薬液を患者に輸液する。チューブ取り付け部材８４０に取り付けられたチューブが、ポンプ９０内を通り、患者の体内に刺通される注射針（図示しない）に繋がっている。薬液は、シリンジプランジャー８１０上の開口部、および注射針８３０を順次通って、上述のチューブ取り付け部材８４０に達する。
【００３６】
上述したように、従来の輸液ポンプシステムにおける問題点は、シリンジ８００からの薬液の吸引の際に、シリンジプランジャー８１０のシリンジバレル８０１内で、真空吸引力を克服できず、真空停止が生じることである。別の言い方をすれば、薬液がシリンジバレル８０１から引き抜かれれば引き抜かれるほど、シリンジバレル８０１内の薬液の量がより少なくなるので、バレル部８０１の内側と外側の間で圧力差が生じる。こうして、ポンプが、薬液を引き出すのにより大きな真空吸引力が必要になり、最終的には薬液を輸液できなくなる。しかしながら、シリンジ８００の遠位端部８０４に対して圧縮力を与えることによって、ポンプの吸引力は一定に保たれ、真空停止の問題を防止することができる。シリンジプランジャー８０１をバレル部８０１に降下させながら、シリンジバレル圧縮部材４１０による力を利用することにより、薬液がシリンジバレル８０１から引き出される際に生じた真空状態を、減らしたりなくしたりすることができる。上述した従来法により、薬液がシリンジ８０１から引き出されるが、輸液流量は、ポンプ９０により制御される。
ハンドル８２０は、ハンドル整合用の溝２６と連動する。シリンジバレル圧縮部材４１０によって遠位端部８０４に力が与えられた状態で、プランジャー８１０は、シリンジバレル８０１の中に入り込む。
【００３７】
図６に示すように、バネ１９０の圧縮の強さは、上述した真空停止を防止するのに理想的な範囲の強さとする。すなわち、バネ１９０の圧縮の強さは、ポンプ９０内のポンプフィンガーにより与えられる圧縮力よりも小さい。これにより、患者への輸液流量を高めたり、制御したりすることなく、真空停止を防止できる。
【００３８】
ここでは、本願発明の１実施形態を挙げて、本願発明の原理や構成を説明するにとどめている。ここで説明した以外の実施形態を考えることがまた可能である。
【図面の簡単な説明】
【００３９】
【図１】本発明の1実施形態による、フロントケース、バックケース、輸液ポンプ、およびプランジャーの分解斜視図である。
【図２】本発明の1実施形態による、プランジャーの斜視図である。
【図３ａ】本発明の1実施形態による、コッカーの側面図である。
【図３ｂ】図３ａのコッカーの正面図である。
【図３ｃ】図３ａのコッカーに一致するベース部材の正面図である。
【図４ａ】本発明の1実施形態による、クレードルの斜視図である。
【図４ｂ】図４ａのクレードルの正面図である。
【図５ａ】本発明の１実施形態による、ベース部材の斜視図である。
【図５ｂ】図５ａのベース部材の上面図である。
【図５ｃ】図５ｂのＣ−Ｃ線に沿った詳細な断面図である。
【図６】本発明の１実施形態による、バネを備えた、一体となったクレードルおよびコッカーの垂直断面図である。
【図７】本発明の１実施形態による、ロックされた構成におけるプランジャーを有したシリンジ補助装置の上面図である。
【図８】本発明の１実施形態による、シリンジに対して真空補助するプランジャーを有したシリンジ補助装置の上面図である。
【図１】
2009513260.tif 000003
【図２】
2009513260.tif 000004
【図３ａ】
2009513260.tif 000005
【図３ｂ】
2009513260.tif 000006
【図３ｃ】
2009513260.tif 000007
【図４ａ】
2009513260.tif 000008
【図４ｂ】
2009513260.tif 000009
【図５ａ】
2009513260.tif 000010
【図５ｂ】
2009513260.tif 000011
【図５ｃ】
2009513260.tif 000012
【図６】
2009513260.tif 000013
【図７】
2009513260.tif 000014
【図８】
2009513260.tif 000015
【国際調査報告】
2009513260.tif 000016
2009513260.tif 000017